(57)【要約】【課題】電通線の結線をする際に、絶縁材の被覆を取らずに結線できる。【解決手段】結線器具1は、絶縁材90ｂで被覆した第1の電通線90と、絶縁材91ｂで被覆した第2の電通線91とを連結する結線本体2を備え、結線本体2は、第1の電通線90が接続され刃先の付いた固定端子70と、第2の電通線91を固定端子70の刃先の位置に保持する保持部31と、基部50aを支点に回転可能に設けられ、回転により第2の電通線91を固定端子70の刃先に押圧させて絶縁材91bを切断して第2の電通線91と導通させる梃子プレート50と、第2の電通線91を導通位置に梃子プレート50を保持する係止部60とを有する。【選択図】図5
2008226799.tif 000002
【特許請求の範囲】
【請求項１】
絶縁材で被覆した第1の電通線と、絶縁材で被覆した第2の電通線とを連結する結線本体を備え、
前記結線本体は、
前記第1の電通線が接続され刃先の付いた固定端子と、
前記第2の電通線を前記固定端子の刃先の位置に保持する保持部と、
基部を支点に回転可能に設けられ、回転により前記第2の電通線を前記固定端子の刃先に押圧させて絶縁材を切断して前記第2の電通線と導通させる梃子プレートと、
前記第2の電通線を導通位置に前記梃子プレートを保持する係止部とを有することを特徴とする結線器具。
【請求項２】
複数の絶縁材で被覆した第1の電通線と、複数の絶縁材で被覆した第2の電通線とを連結する結線本体を備え、
前記結線本体は、
前記第1の電通線が接続され刃先の付いた複数並列に配置された固定端子と、
前記第2の電通線を前記固定端子の刃先の位置に保持する複数並列に配置された保持部と、
前記保持部に基部を支点に回転可能に設けられ、回転により前記第2の電通線を前記固定端子の刃先に押圧させて絶縁材を切断して前記第2の電通線と導通させる梃子プレートと、
前記第2の電通線を導通位置に前記梃子プレートを保持する係止部とを有することを特徴とする結線器具。
【発明の詳細な説明】
【技術分野】
【０００１】
この発明は、電通線の結線をする際に、絶縁材の被覆を取らずに結線できる結線器具に関する。
【背景技術】
【０００２】
例えば、パチンコ、スロットなどの遊技場などでは、遊戯具が電子化され、各遊戯具に管理センターなどから複雑な配線が行われている。この配線は、電源線であったり、信号線であったりし、作業者が間違えることがなく、しかも迅速な配線の接続作業が要求される。
【０００３】
例えば、配線の接続として、縦割り状で絶縁材（非電通材）の結線体と圧押部体とからなり、各端側が軸を介して一体となり結線本体とし、その各端側の中央部に結線すべき単線を狭入する単線狭入部を設け、結線本体の内側の各単線狭入部を結ぶ電通材の半筒体の内面に複数の鍔状の刺挟歯体を形成し、各圧押部体を結線本体にネジで圧着する構造としたものがある(特許文献1)。
【特許文献１】特開２００３−１６３０４２号公報
【発明の開示】
【発明が解決しようとする課題】
【０００４】
ところで、特許文献1のものでは、被服を取らず簡単に結線でき、何回でも使用可能であるが、結線を行うには結線本体を備え、その各端側の中央部に結線すべき単線を狭入する単線狭入部を設け、結線本体の内側の各単線狭入部を結ぶ電通材の半筒体の内面に複数の鍔状の刺挟歯体を形成し、各圧押部体を結線本体にネジで圧着する必要があり、構造が複雑で、しかもネジ止めをする必要があり、結線の作業に手数を要するなどの問題がある。
【０００５】
この発明は、かかる点に鑑みてなされたもので、簡単な構造で、しかもワンタッチで迅速に絶縁材の被覆を取らずに結線できる結線器具を提供することを目的としている。
【課題を解決するための手段】
【０００６】
前記課題を解決し、かつ目的を達成するために、この発明は、以下のように構成されている。
請求項１に記載の発明は、絶縁材で被覆した第1の電通線と、絶縁材で被覆した第2の電通線とを連結する結線本体を備え、
前記結線本体は、
前記第1の電通線が接続され刃先の付いた固定端子と、
前記第2の電通線を前記固定端子の刃先の位置に保持する保持部と、
基部を支点に回転可能に設けられ、回転により前記第2の電通線を前記固定端子の刃先に押圧させて絶縁材を切断して前記第2の電通線と導通させる梃子プレートと、
前記第2の電通線を導通位置に前記梃子プレートを保持する係止部とを有することを特徴とする結線器具である。
【０００７】
請求項2に記載の発明は、複数の絶縁材で被覆した第1の電通線と、複数の絶縁材で被覆した第2の電通線とを連結する結線本体を備え、
前記結線本体は、
前記第1の電通線が接続され刃先の付いた複数並列に配置された固定端子と、
前記第2の電通線を前記固定端子の刃先の位置に保持する複数並列に配置された保持部と、
前記保持部に基部を支点に回転可能に設けられ、回転により前記第2の電通線を前記固定端子の刃先に押圧させて絶縁材を切断して前記第2の電通線と導通させる梃子プレートと、
前記第2の電通線を導通位置に前記梃子プレートを保持する係止部とを有することを特徴とする結線器具である。
【発明の効果】
【０００８】
前記構成により、この発明は、以下のような効果を有する。
【０００９】
請求項１に記載の発明では、絶縁材で被覆した第1の電通線を、刃先の付いた固定端子に接続し、第2の電通線を固定端子の刃先の位置に保持し、梃子プレートの回転により第2の電通線を固定端子の刃先に押圧させて絶縁材を切断して第2の電通線と導通させ、第2の電通線を導通位置に梃子プレートを保持することで、簡単な構造で、しかもワンタッチで迅速に絶縁材の被覆を取らずに、絶縁材で被覆した第1の電通線と、絶縁材で被覆した第2の電通線とを連結することができる。
【００１０】
請求項2に記載の発明では、絶縁材で被覆した複数の第1の電通線を、それぞれ刃先の付いた固定端子に接続し、第2の電通線を固定端子の刃先の位置に保持し、梃子プレートの回転により第2の電通線を固定端子の刃先に押圧させて絶縁材を切断して第2の電通線と導通させ、第2の電通線を導通位置に梃子プレートを保持することで、簡単な構造で、しかもワンタッチで迅速に絶縁材の被覆を取らずに、絶縁材で被覆した複数の第1の電通線と、絶縁材で被覆した複数の第2の電通線とをそれぞれ連結することができる。
【発明を実施するための最良の形態】
【００１１】
以下、この発明の結線器具の実施の形態について説明する。この発明の実施の形態は、発明の最も好ましい形態を示すものであり、この発明はこれに限定されない。
【００１２】
図1乃至図15は、この発明の結線器具を示し、図1は結線器具の平面図、図2は結線器具の正面図、図3は結線器具の底面図、図4は結線器具の梃子プレートを開いた状態の断面図、図5は結線器具の梃子プレートを保持した状態の断面図、図6は結線器具の梃子プレートを保持した状態の側面図、図7は結線本体の平面図、図8は結線本体の正面図、図9は結線本体の右側面図、図10は結線本体の底面図、図11は結線本体の断面図、図12は梃子プレートの正面図、図13は梃子プレートの平面図、図14は梃子プレートの底面図である。
【００１３】
この結線器具1は、複数の絶縁材90ｂで被覆した第1の電通線90と、複数の絶縁材91ｂで被覆した第2の電通線91とを連結するものであり、例えば、パチンコ、スロットなどの遊技場などで、例えば各遊戯具と管理センタなどと配線する場合に用いられる。連結する第1の電通線90と第2の電通線91は、電源線であったり、信号線であったりし、特に限定されない。また、絶縁材90ｂで被覆した第1の電通線90、または絶縁材91ｂで被覆した第2の電通線91は、絶縁材90ｂ,91bとして、塩化ポリビニル(PVC)被膜が用いられるが、これに限定されず、また絶縁材90ｂ,91bで被覆する線材90a,91aは、より線でも単線の銅線でも良い。
【００１４】
この結線器具1は、複数の絶縁材90bで被覆した第1の電通線90と、複数の絶縁材91bで被覆した第2の電通線91とを連結する結線本体2を備えている。結線本体2は、絶縁樹脂材で成形され、箱台20を有し、この箱台20は上方から見て略正方形に形成されている。
【００１５】
この箱台20の基部21は、下方が開口された周側壁21ｃを有し、基部21の内側には下方に延びるボス22a,22b,22cが3箇所に一体に形成されている。基部21の周側壁21ｃの開口内側周縁には、段部21aが形成され、この段部21aに裏蓋23の周縁部を嵌合し、ボス21a,21b,21cにビス24a,24b,24cを螺着して固定し、内部にごみなどが入らないようになっている。また、基部21の下側には、一方側に突起25を幅方向へ延ばして一体に形成され、この突起25にはねじ孔25aが所定間隔で形成されている。基部21には、それぞれのねじ孔25aの両側に固定端子挿通孔25a1,25a2が形成されている。基部21の周側壁には、突起25と反対側の中央に電通線挿通孔21bが形成され、電通線挿通孔21bに複数の第1の電通線90が挿通可能になっている。
【００１６】
突起25のねじ孔25aに対応して一対の刃先70a,70bの付いた固定端子70を、接点板71と共にビス72で締め付け固定する。接点板71には、第1の電通線90のより線の線材90aが半田付けされている。全ての突起25のねじ孔25aに対応して一対の刃先70a,70bの付いた固定端子70を、接点板71と共にビス72で締め付け固定しても良いが、必要に応じて選択して用いることができ、接続した複数の第1の電通線90は電通線挿通孔21bから取り出されている。
【００１７】
この箱台20の基部21は、上方に保持部31が複数並列に配置されている。この保持部31は、絶縁樹脂材で成形された対をなす一方の隔壁31aより他方の隔壁31bを第2の電通線91の挿入方向に長くし、溝部93が形成され、長くした他方の隔壁31bに係止部40を溝側に突出して設けている。この実施例では、短い隔壁31aと、長い隔壁31bとを交互に設け、この対向する短い隔壁31aと長い隔壁31bとの間で溝部93を形成している。
【００１８】
この結線本体2には、溝部93の位置に、絶縁樹脂材で成形された梃子プレート50が取り付けられる。この梃子プレート50は、図12乃至図14に示すように構成される。この梃子プレート50は、薄い板状で細長く幅方向に弾性変形可能に成形され、固定端子70の一対の刃先70a,70bに押圧させて絶縁材91ｂを切断して第2の電通線91と導通させるものであり、基部50aには取付孔50ｂが形成され、頭部50cの上位部には切欠段部50ｄが形成されている。梃子プレート50の上面は、ストレートに形成されているが、下面は、基部50aの部分に傾斜の大きいガイド面50eを形成し、このガイド面50eから頭部50cの部分にかけて傾斜の小さい押圧面50fを形成している。
【００１９】
複数並列に配置されている保持部31には、支持孔32がそれぞれに連通して形成されている。保持部31の溝部93に梃子プレート50を配置し、梃子プレート50の基部50aに形成した取付孔50ｂを保持部31の支持孔32に位置させ、支持ピン54を結線本体2から支持孔32、取付孔50ｂに貫通して支持する。
【００２０】
このようにして、保持部31に梃子プレート50の基部50aを、支持ピン54の支点に回転可能に設けられ、梃子プレート50の回転により第2の電通線91を、固定端子70の刃先70a,70bに押圧させて絶縁材91bを切断し、一対の刃先70a,70bがより線の線材91aに接触することで第2の電通線91と導通させる。
【００２１】
このとき、梃子プレート50は、基部50aから短い隔壁31aの位置で幅方向に屈曲し、頭部50cが隔壁31bに形成された係止部40を乗り越えて回転し、梃子プレート50の切欠段部50ｄが係止部40の下部に係合して保持される。
【００２２】
次に、絶縁材90ｂで被覆した第1の電通線90と、絶縁材91ｂで被覆した第2の電通線91とを連結する方法及び連結を解除する方法について説明する。
【００２３】
絶縁材90ｂで被覆した第1の電通線90と、絶縁材91ｂで被覆した第2の電通線91とを連結するには、予め突起25のねじ孔25aに対応して一対の刃先70a、70ｂの付いた固定端子70を、接点板71と共にビス72で締め付け固定し、接点板71には、第1の電通線90のより線の線材90aが半田付けされている。
【００２４】
そして、連結しようとする絶縁材91ｂで被覆した第2の電通線91を、先端から所定の接続しようとする保持部31の溝部93に挿入する。第2の電通線91の先端は、梃子プレート50の基部50aの下方位置に挿入されるが、このとき、第2の電通線91の先端が、梃子プレート50の基部50aのガイド面50eに当たることがあってもガイド面50eによって円滑に挿入し、固定端子70の一対の刃先70a,70bの位置に位置させることができる。
【００２５】
第2の電通線91を固定端子70の一対の刃先70a,70bの位置に保持し、梃子プレート50の回転により押圧面50fで第2の電通線91を、固定端子70の一対の刃先70a,70b方向へ押圧する。このようにして、第2の電通線91を固定端子70の一対の刃先70a,70bに押圧させることで、一対の刃先70a,70bが絶縁材91bに突き刺さり切断して第2の電通線91のより線の線材91aと導通し、この第2の電通線91を導通位置にして梃子プレート50の頭部50ｃの切欠段部50ｄが係止部40の下部に係合して保持されることで、簡単な構造で、しかもワンタッチで迅速に絶縁材91ｂの被覆を取らずに、絶縁材90ｂで被覆した第1の電通線90と、絶縁材91ｂで被覆した第2の電通線91とをそれぞれ連結することができる。
【００２６】
この梃子プレート50の押圧面50fが基部50aから頭部50b側へかけて傾斜していることから、第2の電通線91は、固定端子70の一対の刃先70a,70bの内刃先70a側より、刃先70b側が強く押圧されることになり、絶縁材91ｂを切断して第2の電通線91と固定端子70を確実に導通させることができる。また、梃子プレート50の押圧面50fが基部50aから頭部50b側へかけて傾斜していることから第2の電通線91の直径が異なる場合であっても先端部が押圧面50fに当接し案内され、溝部９３の挿入が円滑であり、押圧面50fで確実に押圧することができる。また、第2の電通線91の直径の大小に応じて一対の刃先70a,70bの長さを変えても良く、あるいは刃先70a,70b同士は同じ長さでも良く、あるいは異なる長さでも良く、さらに1個でも3個以上でも良い。
【００２７】
一方、絶縁材90ｂで被覆した第1の電通線90と、絶縁材91ｂで被覆した第2の電通線91との連結を解除するには、図5及び図6に示すように、梃子プレート50の頭部50bを短い隔壁31aの位置で弾性変形させて溝部93側へ移動させ、頭部50ｂの切欠段部50ｄを係止部60から外す。これにより、梃子プレート50の頭部50bを持って上方へ回転させることができ、梃子プレート50の押圧面50fが第2の電通線91を押さなくなり、第2の電通線91の絶縁材91ｂが固定端子70の一対の刃先70a,70bから抜け、第2の電通線91と固定端子70との連結が簡単かつ確実に解除される。絶縁材91ｂで被覆した第2の電通線91は、連結時には絶縁材91ｂに固定端子70の一対の刃先70a,70bを突き刺し切断するだけであるから、第2の電通線91を再使用することができる。
【００２８】
また、この実施の形態では、簡単な構造で、しかもワンタッチで迅速に絶縁材の被覆を取らずに、絶縁材90bで被覆した複数の第1の電通線90と、絶縁材91bで被覆した複数の第2の電通線91とをそれぞれ連結する構成について説明したが、絶縁材90bで被覆した第1の電通線90と、絶縁材91bで被覆した第2の電通線91とを連結する構成でもよい。
【産業上の利用可能性】
【００２９】
この発明は、電通線の結線をする際に、絶縁材の被覆を取らずに結線できる結線器具に適用でき、簡単な構造で、しかもワンタッチで迅速に絶縁材の被覆を取らずに結線できる。
【図面の簡単な説明】
【００３０】
【図１】結線器具の平面図である。
【図２】結線器具の正面図である。
【図３】結線器具の底面図である。
【図４】結線器具の梃子プレートを開いた状態の断面図である。
【図５】結線器具の梃子プレートを保持した状態の断面図である。
【図６】結線器具の梃子プレートを保持した状態の側面図である。
【図７】結線本体の平面図である。
【図８】結線本体の正面図である。
【図９】結線本体の右側面図である。
【図１０】結線本体の底面図である。
【図１１】結線本体の断面図である。
【図１２】梃子プレートの正面図である。
【図１３】梃子プレートの平面図である。
【図１４】梃子プレートの底面図である。
【符号の説明】
【００３１】
1 結線器具
2  結線本体
31  保持部
50 梃子プレート
50a  基部
50ｂ  頭部
60 係止部
70  固定端子
90 第1の電通線
90a  より線の線材
90b 絶縁材
91 第2の電通線
91a  より線の線材
91b 絶縁材
【図１】
2008226799.tif 000003
【図２】
2008226799.tif 000004
【図３】
2008226799.tif 000005
【図４】
2008226799.tif 000006
【図５】
2008226799.tif 000007
【図６】
2008226799.tif 000008
【図７】
2008226799.tif 000009
【図８】
2008226799.tif 000010
【図９】
2008226799.tif 000011
【図１０】
2008226799.tif 000012
【図１１】
2008226799.tif 000013
【図１２】
2008226799.tif 000014
【図１３】
2008226799.tif 000015
【図１４】
2008226799.tif 000016